(57)【要約】【課題】効率よく絶縁被膜の損傷を検出し得る検出装置を提案する。【解決手段】検出装置１０は、並列に接続された複数のコイル１４１〜１４ｎと、鉄心１２に対して複数のコイル１４１〜１４ｎを挿入する挿入治具１６および鉄心１２の少なくとも一方との間に電圧を印加する印加部２０と、印加部２０が印加した電圧の間に流れる電流を検出する少なくとも１つの電流センサ２２と、を有する。【選択図】図２
2020201082.tif 000002
【特許請求の範囲】
【請求項１】
固定子の鉄心に挿入する複数のコイルの各々の表面に付された絶縁被膜の損傷を検出する検出装置であって、
並列に接続された複数の前記コイルと、前記鉄心に対して複数の前記コイルを挿入する挿入治具および前記鉄心の少なくとも一方との間に電圧を印加する印加部と、
前記印加部が印加した前記電圧の間に流れる電流を検出する少なくとも１つの電流センサと、
を備える検出装置。
【請求項２】
請求項１に記載の検出装置であって、
前記電流センサは、複数の前記コイルごとに設けられる、検出装置。
【請求項３】
請求項１に記載の検出装置であって、
複数の前記コイルは、２以上の前記コイルを組とする複数のグループに分割され、複数の前記グループの各々は並列に接続されており、
前記電流センサは、複数の前記グループごとに設けられる、検出装置。
【請求項４】
請求項１〜３のいずれか１項に記載の検出装置であって、
前記印加部は、複数の前記コイルと、前記挿入治具および前記鉄心との間に前記電圧を印加する、検出装置。
【発明の詳細な説明】
【技術分野】
【０００１】
本発明は、固定子の鉄心に挿入するコイルの表面に付された絶縁被膜の損傷を検出する検出装置に関する。
【背景技術】
【０００２】
下記の特許文献１には、固定子の鉄心にコイル挿入機で挿入するコイルと、そのコイルを挿入するコイル挿入機とに低電圧を印加するとともに、印加した低電圧を検出する検出装置を設けた電動機のコイル損傷検出方法が開示されている。
【先行技術文献】
【特許文献】
【０００３】
【特許文献１】特開平４−３１７７６号公報
【発明の概要】
【発明が解決しようとする課題】
【０００４】
しかし、固定子の鉄心に複数のコイルを同時に挿入する場合、上記の引用文献１のコイル損傷検出方法では、コイル挿入機を用いて１つずつコイルを鉄心に挿入し、当該コイルを挿入するたびに検出装置を付け替える必要があるため、効率が悪い。
【０００５】
そこで、本発明は、効率よく絶縁被膜の損傷を検出し得る検出装置を提供することを目的とする。
【課題を解決するための手段】
【０００６】
本発明の態様は、
固定子の鉄心に挿入する複数のコイルの各々の表面に付された絶縁被膜の損傷を検出する検出装置であって、
並列に接続された複数の前記コイルと、前記鉄心に対して複数の前記コイルを挿入する挿入治具および前記鉄心の少なくとも一方との間に電圧を印加する印加部と、
前記印加部が前記電圧を印加した間に流れる電流を検出する少なくとも１つの電流センサと、
を備える。
【発明の効果】
【０００７】
本発明の態様によれば、一度のコイル挿入動作で複数のコイルに対する絶縁被膜の損傷を一挙に検出でき、この結果、効率よく絶縁被膜の損傷を検出することができる。
【図面の簡単な説明】
【０００８】
【図１】本実施の形態における検出装置を示す模式図である。
【図２】図２に示した検出装置の回路図である。
【図３】変形例１における検出装置を示す模式図である。
【図４】図３に示した検出装置の回路図である。
【図５】変形例２における検出装置を示す模式図である。
【図６】図５に示した検出装置の回路図である。
【発明を実施するための形態】
【０００９】
本発明について、好適な実施の形態を掲げ、添付の図面を参照しながら以下、詳細に説明する。
【００１０】
〔実施の形態〕
図１および図２を用いて、本実施の形態の検出装置１０について説明する。検出装置１０は、電動機などの固定子の鉄心１２に挿入する複数のコイル１４（１４１〜１４ｎ）の各々の表面に付された絶縁被膜の損傷を検出するものである。なお、「ｎ」の符号は、２以上の整数である。ただし、図１および図２では、「ｎ」の符号が３以上の場合が示されている。
【００１１】
検出装置１０は、一度のコイル挿入動作で複数のコイル１４１〜１４ｎを一挙に挿入する挿入治具１６を用いて、並列に接続された複数のコイル１４１〜１４ｎを鉄心１２に挿入する際に用いられる。
【００１２】
検出装置１０は、印加部２０および複数の電流センサ２２（２２１〜２２ｎ）を有する。印加部２０は、並列に接続された複数のコイル１４１〜１４ｎと、挿入治具１６および鉄心１２との間に電圧を印加するものであり、直流電源２０Ａ、正極線２０Ｂおよび負極線２０Ｃを有する。
【００１３】
正極線２０Ｂの一端は、直流電源２０Ａの正極に接続され、正極線２０Ｂの他端は、並列に接続された複数のコイル１４１〜１４ｎの各々に対して接続される（図１参照）。正極線２０Ｂの他端は、具体的には、並列に接続された複数のコイル１４１〜１４ｎを結線する結線路上の接点に接続される（図２参照）。
【００１４】
負極線２０Ｃの一端は、直流電源２０Ａの負極に接続され、負極線２０Ｃの他端は、鉄心１２および挿入治具１６に接続される（図１参照）。負極線２０Ｃの他端が接続される鉄心１２および挿入治具１６は、図２に示す複数のスイッチ（単極単投型のスイッチ）ＳＷにおける各々の固定側端子に相当する。複数のスイッチＳＷの各々は、現存するものではなく、コイル１４の表面に付された絶縁被膜の損傷の有無を仮想的に示すものである。絶縁被膜の損傷がない場合にはオフであり、絶縁被膜の損傷がある場合にはオンである。
【００１５】
複数の電流センサ２２１〜２２ｎの各々は、複数のコイル１４１〜１４ｎに流れる電流を検出するものである。本実施の形態では、複数のコイル１４１〜１４ｎの各々に対して１つずつ電流センサ２２１〜２２ｎが設けられる。すなわち、電流センサ２２１〜２２ｎの各々は、対応するコイル１４１〜１４ｎに対してのみ直列に接続される。なお、電流センサ２２１〜２２ｎの各々は、結線路上の接続箇所を切断して接続するタイプであってもよく、結線路上の接続箇所をクランプして接続するタイプであってもよい。
【００１６】
挿入治具１６を用いて、並列に接続された複数のコイル１４１〜１４ｎを鉄心１２に挿入する際に、鉄心１２または挿入治具１６と接触することで複数のコイル１４１〜１４ｎの少なくとも１つの絶縁被膜が損傷した場合、その損傷箇所が通電する。この場合、印加部２０が印加した電圧の間に電流が流れる。本実施の形態では、電流センサ２２１〜２２ｎは、複数のコイル１４１〜１４ｎごとに設けられている。これにより、コイル単位で絶縁被膜の損傷を検出することができる。したがって、並列に接続された複数のコイル１４１〜１４ｎのなかで絶縁被膜が損傷している損傷コイルを判別することができる。
【００１７】
〔変形例〕
上記の実施の形態は、以下のように変形してもよい。
【００１８】
（変形例１）
図３および図４を用いて、変形例１の検出装置１０について説明する。図３および図４では、上記の実施の形態において説明した構成と同等の構成に対して同一の符号が付されている。なお、上記の実施の形態と重複する説明は省略する。
【００１９】
変形例１の検出装置１０は、複数のコイル１４１〜１４ｎに対して１つの電流センサ２２を有する点で、複数のコイル１４１〜１４ｎの各々に対して１つずつ電流センサ２２１〜２２ｎを有する上記の実施の形態の検出装置１０と異なる。
【００２０】
本変形例の電流センサ２２は、並列に接続された複数のコイル１４１〜１４ｎの各々に対して直列に接続される。図３および図４の例では、電流センサ２２は、正極線２０Ｂ上に接続される。これにより、コイル単位で絶縁被膜の損傷を検出することはできないが、一度のコイル挿入動作で複数のコイル１４１〜１４ｎに対する絶縁被膜の損傷を一挙に検出できる。
【００２１】
（変形例２）
図５および図６を用いて、変形例２の検出装置１０について説明する。図５および図６では、上記の実施の形態において説明した構成と同等の構成に対して同一の符号が付されている。なお、上記の実施の形態と重複する説明は省略する。
【００２２】
変形例２の検出装置１０では、複数のコイル１４（１４１〜１４ｘ）は、２以上のコイル群を組とする複数のグループＧＰ（ＧＰ１〜ＧＰｙ）に分割され、複数のグループＧＰ１〜ＧＰｙの各々が並列に接続される。複数のグループＧＰ１〜ＧＰｙの各々に属するコイル群は並列に接続される。なお、「ｘ」の符号は４以上の整数であり、「ｙ」の符号は２以上の整数である。
【００２３】
また、変形例２の検出装置１０では、複数のグループＧＰ１〜ＧＰｙの各々に対して１つずつ電流センサ２２１〜２２ｙが設けられる。すなわち、電流センサ２２１〜２２ｙの各々は、対応するグループＧＰ１〜ＧＰｙに属するコイル群に対してのみ直列に接続される。
【００２４】
本変形例では、電流センサ２２１〜２２ｙが複数のグループＧＰ１〜ＧＰｙごとに設けられることにより、グループ単位で絶縁被膜の損傷を検出することができる。
【００２５】
（変形例３）
上記の実施の形態では、印加部２０は、並列に接続された複数のコイル１４１〜１４ｎと、挿入治具１６および鉄心１２との間に電圧を印加した。しかし、印加部２０は、並列に接続された複数のコイル１４１〜１４ｎと、挿入治具１６および鉄心１２のいずれかとの間に電圧を印加してもよい。
【００２６】
なお、鉄心１２と接触することで損傷する絶縁被膜の部位はコイル外側となり、挿入治具１６と接触することで損傷する絶縁被膜の部位はコイル内側となる。ここで、並列に接続された複数のコイル１４１〜１４ｎと、鉄心１２との間に電圧を印加している場合に、コイル内側の絶縁被膜が損傷しても通電しないことがある。同様に、並列に接続された複数のコイル１４１〜１４ｎと、挿入治具１６との間に電圧を印加している場合に、コイル外側の絶縁被膜が損傷しても通電しないことがある。
【００２７】
したがって、コイル内側だけの絶縁被膜の損傷、または、コイル外側だけの絶縁被膜の損傷の双方を検出する点では、並列に接続された複数のコイル１４１〜１４ｎと、挿入治具１６および鉄心１２の双方との間に電圧を印加することが好ましい。
【００２８】
〔上記から得られる発明〕
上記の実施の形態および変形例から把握し得る発明について、以下に記載する。
【００２９】
本発明は、
固定子の鉄心（１２）に挿入する複数のコイル（１４）の各々の表面に付された絶縁被膜の損傷を検出する検出装置（１０）であって、
並列に接続された複数のコイル（１４）と、鉄心（１２）に対して複数のコイル（１４）を挿入する挿入治具（１６）および鉄心（１２）の少なくとも一方との間に電圧を印加する印加部（２０）と、
印加部（２０）が印加した電圧の間に流れる電流を検出する少なくとも１つの電流センサ（２２）と、
を備える。
【００３０】
これにより、一度のコイル挿入動作で複数のコイル（１４）に対する絶縁被膜の損傷を一挙に検出でき、この結果、効率よく絶縁被膜の損傷を検出することができる。
【００３１】
電流センサ（２２）は、複数のコイル（１４）ごとに設けられてもよい。これにより、コイル単位で絶縁被膜の損傷を検出することができるため、並列に接続された複数のコイル（１４）のなかで絶縁被膜が損傷している損傷コイルを判別することができる。
【００３２】
複数のコイル（１４）は、２以上のコイル（１４）を組とする複数のグループ（ＧＰ）に分割され、複数のグループ（ＧＰ）の各々は並列に接続されており、電流センサ（２２）は、複数のグループ（ＧＰ）ごとに設けられてもよい。これにより、グループ単位で絶縁被膜の損傷を検出することができる。
【００３３】
印加部（２０）は、複数のコイル（１４）と、挿入治具（１６）および鉄心（１２）との間に電圧を印加してもよい。これにより、コイル内側だけの絶縁被膜の損傷、または、コイル外側だけの絶縁被膜の損傷の双方を検出することができる。
【符号の説明】
【００３４】
１０…検出装置                          １２…鉄心
１４（１４１〜１４ｎ、１４１〜１４ｘ）…コイル
１６…挿入治具                          ２０…印加部
２２（２２１〜２２ｎ、２２１〜２２ｙ）…電流センサ
【図１】
2020201082.tif 000003
【図２】
2020201082.tif 000004
【図３】
2020201082.tif 000005
【図４】
2020201082.tif 000006
【図５】
2020201082.tif 000007
【図６】
2020201082.tif 000008